(57)【特許請求の範囲】
【請求項１】
非木造の建物壁の開口部内に建具枠を設け、この建具枠の上枠、下枠、縦枠と建物壁を上・下・縦連結手段でそれぞれ連結して建具枠を開口部に取付けた建物用建具であって、
前記建物壁の開口部は、上内面と下内面と左右の縦内面で矩形状の内周面を有し、前記上内面は、室内側部分が室外側部分よりも上方に位置するように段差を有し、その室内側部分に内向き凹部が形成され、前記下内面、縦内面には内向き凹部がそれぞれ形成され、
前記建具枠は、上枠の上面よりも上方に突出し、当該上枠を木造の建物壁に固着するための上取付片、下枠の下面よりも下方に突出し、当該下枠を木造の建物壁に固着するための下取付片、縦枠の側面よりも側方に突出し、当該縦枠を木造の建物壁に固着するための縦取付片を有し、かつその上取付片、下取付片の全部又は一部を除去すると共に、縦取付片の一部を除去した木造用の建具枠で、
この建具枠は前記建物壁の開口部に、上枠、下枠、縦枠の室外側部分が上内面、下内面、縦内面の室外側部分とそれぞれ対向し、かつ上枠、下枠、縦枠の室内側部分が上内面、下内面、縦内面の室内側部分とそれぞれ対向して設けられ、
前記上連結手段は、建物壁に埋設され、一部分が上内面の内向き凹部に露出した被溶接部と、上枠の上面における前記開口部の上内面の室外側部分と対向した室外側部分にねじで固着して取り付けられ被溶接部よりも室外側寄りの上アンカーと、溶接筋を備え、この溶接筋を被溶接部と上アンカーにそれぞれ溶接して上枠を建物壁に連結し、
前記上アンカーを上枠に固着するねじは、上枠の中空部内に突出して上枠の内面には突出しないようにし、
前記下連結手段は、建物壁に埋設され、一部分が下内面の内向き凹部に露出した被溶接部と、下枠にねじで固着して取付けた下アンカーと、溶接筋を備え、この溶接筋を被溶接部と下アンカーにそれぞれ溶接して下枠を建物壁に連結し、
前記縦連結手段は、建物壁に埋設され、一部分が縦内面の内向き凹部に露出した被溶接部と、縦枠の縦取付片にねじで固着して取り付けた縦アンカーと、溶接筋を備え、この溶接筋を被溶接部と縦アンカーにそれぞれ溶接して縦枠を建物壁に連結し、
前記上枠の室外側部と上内面の室外側部との間を上シール材でシールし、前記下枠の室外側部と下内面の室外側部との間を下シール材でシールし、前記縦枠の室外側部と縦内面の室外側部との間を縦シール材でシールし、
前記上アンカーと縦アンカーは、折曲片を有した基板の端部に縦向き片を設けた同一形状で、
前記上アンカーの基板を上枠の上面の室外側部分に、その折曲片が上内面に向けて上向きとなるようにねじで固着して取り付け、その折曲片に溶接筋を溶接するようにし、
前記縦アンカーの縦向き片を縦枠の縦取付片に、その折曲片が縦内面に向けて横向きとなるようにねじで固着して取り付け、その折曲片に溶接筋を溶接するようにしたことを特徴とする建物用建具。
【請求項２】
前記下枠は、金属製の室内側部材と金属製の室外側部材を断熱材で連結した断熱形材で、
その室内側部材に室内側被取付部を形成すると共に、室外側部材に前記下取付片を形成し、
前記下アンカーは、面外方向に離隔した室内側取付部、室外側取付部と、この室内側取付部と室外側取付部の面外方向中間で、前記溶接筋を溶接する溶接部を有し、
前記下アンカーの室内側取付部を前記室内側被取付部にねじで固着し、室外側取付部を前記下取付片に断熱材より成るスペーサを介してねじで固着して取付けるようにした請求項１記載の建物用建具。
【発明の詳細な説明】
【技術分野】
【０００１】
本発明は、建物壁の開口部に建具枠を取付けた建物用建具に関する。
【背景技術】
【０００２】
建具としては、建具枠に戸、障子などの建具体を取付けたものが一般的である。
一方、建物壁としては、木質系材料を用いた木造の建物壁と、ＲＣ、ＰＣ板、ＡＬＣ板などのコンクリート系材料を用いた非木造の建物壁が知られている。
前記木造の建物壁の場合には、その建物壁に釘を打ち込みすることが可能であるから、建具枠を釘打ちして取付けるのが一般的である。
前記非木造の建物壁の場合には、建物壁に釘を打ち込むことが不可能であるから、建具枠を釘打ち以外で取付けるのが一般的である。
このために、建具枠は、釘打ちで取付ける木造用と、釘打ち以外で取付ける非木造用の２種類を必要とするから、コストが高い等の問題がある。
【０００３】
このことを解決するために、木造の建物壁と非木造の建物壁に兼用して取付けできるようにした建具枠が種々提案されている。
例えば、特許文献１に開示されたように、非木造の建物壁の開口部の内周面に補助枠体を取付け、この補助枠体に、木造用の建具枠を取付けるようにしている。
【特許文献１】特許第３３２３７６３号公報
【発明の開示】
【発明が解決しようとする課題】
【０００４】
前述した従来の補助枠体は、補助上枠、補助下枠、補助縦枠を方形状に枠組みしたもので、その補助上枠、補助下枠、補助縦枠が建物壁の開口部における上内面、下内面、縦内面にそれぞれ取付けてあると共に、建具枠の上枠、下枠、縦枠が、補助上枠、補助下枠、補助縦枠に、その各内面よりも内側に張り出すようにして取付けてある。
このために、建具枠の大きさに比べて建物壁の開口部が著しく大きくなってしまう。
また、補助枠体の開口部内面への取付け作業と、その補助枠体への建具枠の取付け作業が必要であるから、その建具枠を建物壁の開口部に取付ける作業が面倒である。
また、開口部の内面と補助枠体との間及び補助枠体と建具枠との間から雨水等が浸入する恐れがあるので、それぞれの間をシールしなければならず、シール作業が面倒である。
また、方形状の補助枠体を用いているので、その補助枠体のコストが高く、高価となってしまう。
【０００５】
本発明の目的は、建具枠の大きさに比べて建物壁の開口部をあまり大きくしなくとも木造用の建具枠を非木造の建物壁の開口部に取付けできること、建具枠を建物壁の開口部に取付ける作業が簡単であること、シール作業が簡単であること、安価にできること、を満足した建物用建具とすることである。
【課題を解決するための手段】
【０００６】
本発明は、非木造の建物壁の開口部内に建具枠を設け、この建具枠の上枠、下枠、縦枠と建物壁を上・下・縦連結手段でそれぞれ連結して建具枠を開口部に取付けた建物用建具であって、
前記建物壁の開口部は、上内面と下内面と左右の縦内面で矩形状の内周面を有し、前記上内面は、室内側部分が室外側部分よりも上方に位置するように段差を有し、その室内側部分に内向き凹部が形成され、前記下内面、縦内面には内向き凹部がそれぞれ形成され、
前記建具枠は、上枠の上面よりも上方に突出し、当該上枠を木造の建物壁に固着するための上取付片、下枠の下面よりも下方に突出し、当該下枠を木造の建物壁に固着するための下取付片、縦枠の側面よりも側方に突出し、当該縦枠を木造の建物壁に固着するための縦取付片を有し、かつその上取付片、下取付片の全部又は一部を除去すると共に、縦取付片の一部を除去した木造用の建具枠で、
この建具枠は前記建物壁の開口部に、上枠、下枠、縦枠の室外側部分が上内面、下内面、縦内面の室外側部分とそれぞれ対向し、かつ上枠、下枠、縦枠の室内側部分が上内面、下内面、縦内面の室内側部分とそれぞれ対向して設けられ、
前記上連結手段は、建物壁に埋設され、一部分が上内面の内向き凹部に露出した被溶接部と、上枠の上面における前記開口部の上内面の室外側部分と対向した室外側部分にねじで固着して取り付けられ被溶接部よりも室外側寄りの上アンカーと、溶接筋を備え、この溶接筋を被溶接部と上アンカーにそれぞれ溶接して上枠を建物壁に連結し、
前記上アンカーを上枠に固着するねじは、上枠の中空部内に突出して上枠の内面には突出しないようにし、
前記下連結手段は、建物壁に埋設され、一部分が下内面の内向き凹部に露出した被溶接部と、下枠にねじで固着して取付けた下アンカーと、溶接筋を備え、この溶接筋を被溶接部と下アンカーにそれぞれ溶接して下枠を建物壁に連結し、
前記縦連結手段は、建物壁に埋設され、一部分が縦内面の内向き凹部に露出した被溶接部と、縦枠の縦取付片にねじで固着して取り付けた縦アンカーと、溶接筋を備え、この溶接筋を被溶接部と縦アンカーにそれぞれ溶接して縦枠を建物壁に連結し、
前記上枠の室外側部と上内面の室外側部との間を上シール材でシールし、前記下枠の室外側部と下内面の室外側部との間を下シール材でシールし、前記縦枠の室外側部と縦内面の室外側部との間を縦シール材でシールし、
前記上アンカーと縦アンカーは、折曲片を有した基板の端部に縦向き片を設けた同一形状で、
前記上アンカーの基板を上枠の上面の室外側部分に、その折曲片が上内面に向けて上向きとなるようにねじで固着して取り付け、その折曲片に溶接筋を溶接するようにし、
前記縦アンカーの縦向き片を縦枠の縦取付片に、その折曲片が縦内面に向けて横向きとなるようにねじで固着して取り付け、その折曲片に溶接筋を溶接するようにしたことを特徴とする建物用建具。前記縦枠の室外側部と縦内面との間を縦シール材でシールしたことを特徴とする建物用建である。
【０００９】
本発明の建物用建具においては、下枠は、金属製の室内側部材と金属製の室外側部材を断熱材で連結した断熱形材で、
その室内側部材に室内側被取付部を形成すると共に、室外側部材に前記下取付片を形成し、
前記下アンカーは、面外方向に離隔した室内側取付部、室外側取付部と、この室内側取付部と室外側取付部の面外方向中間で、前記溶接筋を溶接する溶接部を有し、
前記下アンカーの室内側取付部を前記室内側被取付部にねじで固着し、室外側取付部を前記下取付片に断熱材より成るスペーサを介してねじで固着して取付けることができる。
このようにすれば、下アンカーの室内外側方向に離隔した２ヶ所が下枠に固着され、その室内外側方向に離隔した２つの固着部の面外方向中間が溶接筋で支持されるので、下枠を建物壁の開口部の下内面部分にしっかりと取付けできる。
しかも、下枠の室外側部材と室内側部材とに亘って下アンカーを介して熱が伝わることがなく、下アンカーを断熱形材の下枠と通常の下枠とに兼用することができる。
【発明の効果】
【００１１】
本発明の建物用建具によれば、木造用の建具枠を非木造の建具壁の開口部に取付けできると共に、建具枠の大きさに比べて建物壁の開口部をあまり大きくしなくとも良い。
また、建具枠を建物壁の開口部に挿入し、溶接筋をアンカーと被溶接部に溶接すれば良いから、建具枠を建物壁の開口部に取付ける作業が簡単である。
また、建具枠の上枠、下枠、縦枠の室外側部と開口部の上内面、下内面、縦内面の室外側部との間に上・下・縦シール材を設ければ良いので、シール作業が簡単である。
また、上・下・縦アンカーと被溶接部と溶接筋を用いて溶接すれば良いから、安価である。
また、上・下・縦アンカーは上枠、下枠、縦枠にねじで固着してあるので、アルミ材より成る上枠、下枠、縦枠に各アンカーを取り付けることができ、建具枠を溶接により開口部に取り付けできる。
また、開口部の上内面は段差を有しているから、上枠の上面と上内面の室内側部分との間の上下寸法が、室外側部分と上枠の上面との間の上下寸法よりも大きく、室内側から被溶接部に溶接筋を溶接する作業がやり易いと共に、上シール材によるシール幅を小さくしてシール性を向上できる。
また、各被溶接部の一部分が開口部の各内面の内向き凹部に露出し、その内向き凹部内で溶接筋を溶接できるので、その溶接部分が開口部の各内面から突出しないようにでき、各内面と上・下・縦枠の上面、下面、側面との間の寸法を小さくすることが可能である。
また、上アンカーと縦アンカーを同一とすることができる。
また、縦アンカーを縦枠の縦取付片にねじで固着して取り付けたので、そのねじが縦枠の内面に突出しないようにできる。
【発明を実施するための最良の形態】
【００１２】
図１と図２と図３に示すように、建物壁１の開口部２内に建具の建具枠３を設け、この建具枠３と建物壁１を連結手段４で連結して建具枠３を開口部２に取付ける。
前記建具枠３に障子、戸などの建具体（図示せず）を取付けて建物用建具としてある。
前記開口部２は、上内面２ａと下内面２ｂと左右の縦内面２ｃで矩形状の内周面を有している。
【００１３】
前記建具枠３は、上枠３０と下枠３１と左右の縦枠３２で矩形状で、その外周面の形状は開口部２の内周面の形状と合致している。
前記連結手段４は、上枠３０を上内面２ａ側に連結する上連結手段４ａと、下枠３１を下内面２ｂ側に連結する下連結手段４ｂと、縦枠３２を縦内面２ｃ側に連結する縦連結手段４ｃを有している。
【００１４】
前記上連結手段４ａは、上枠３０にねじで固着して取付けた上アンカー５と、建物壁１の上内面２ａ側に設けた被溶接部６と、溶接筋７を備え、その溶接筋７を上アンカー５と被溶接部６に溶接して固着することで上枠３０を建物壁１の上内面２ａ側に連結している。
前記下連結手段４ｂは、下枠３１にねじで固着して取付けた下アンカー８と、建物壁１の下内面２ｂ側に設けた被溶接部６と、溶接筋７を備え、その溶接筋７を下アンカー８と被溶接部６に溶接して固着することで下枠３１を建物壁１の下内面２ｂ側に連結してある。
前記縦連結手段４ｃは、縦枠３２にねじで固着して取付けた縦アンカー９と、建物壁１の縦内面２ｃ側に設けた被溶接部６と、溶接筋７を備え、その溶接筋７を縦アンカー９と被溶接部６に溶接して固着することで縦枠３２を建物壁１の縦内面２ｃ側に連結してある。
前記各アンカー、被溶接部６、溶接筋７は鉄製である。
【００１５】
前記建物壁１は非木造である。例えば、ＲＣ（現場でコンクリートを打設して成形したコンクリート）、ＰＣ板、ＡＬＣ板などのコンクリート製である。
【００１６】
前記上枠３０は図２に示すように、その面内方向の外面（つまり、上面）３０ａよりも面内方向の外方（つまり、上方）に張り出した上取付片３３を有し、その上取付片３３から釘を建物壁に打ち込んで取付けできるようにしてある。
前記下枠３１は図２に示すように、その面内方向の外面（つまり、下面）３１ａよりも面内方向の外方（つまり、下方）に張り出した取付片３４を有し、その下取付片３４から釘を建物壁に打ち込んで取付けできるようにしてある。
前記縦枠３２は図３に示すように、その面内方向の外面（つまり、側面）３２ａよりも面内方向の外方（つまり、側方）に張り出した縦取付片３５を有し、その縦取付片３５から釘を建物壁に打ち込んで取付けできるようにしてある。
【００１７】
このように、建具枠３は四周（外周面）に取付片を有し、その各取付片を釘等で建物壁に固着して取付けることができるので、木造の建物壁に取付ける木造用の建具枠である。
【００１８】
前記木造用の建具枠を、前述の非木造の建物壁１に取付けるために、前記上取付片３３、下取付片３４、縦取付片３５は、その張り出し方向の全部又は一部を切断等して除去している。
例えば、上取付片３３は上枠３０の外面３０ａに一体的に設けてあり、その上取付片３３の全部を除去している。図２では除去した上取付片３３を仮想線で図示してある。
前記下取付片３４は下枠３１の外面３１ａに一体的に設けてあり、その一部分を除去している。除去した部分を図２で仮想線で図示してある。
前記縦取付片３５は縦枠３２の外面３２ａに一体的に設けてあり、その一部分を除去している。除去した部分を図３で仮想線で図示してある。
【００１９】
これによって、建具枠３を開口部２内に挿入する際に取付片が開口部２の内周面に干渉することがないようにできると共に、溶接筋７を溶接する際に取付片が邪魔にならないようにできる。
【００２０】
前記建具枠３の室外側部と開口部２の内周面との間がシール材でシールしてある。
例えば、図２に示すように、上枠３０の外面３０ａにおける室外側部と開口部２の上内面２ａとの間が上シール材１０でシールしてある。
前記下枠３１の外面３１ａにおける室外側部と開口部２の下内面２ｂとの間が下シール材１１でシールしてある。
図３に示すように、前記縦枠３２の外面３２ａにおける室外側部と開口部２の縦内面２ｃとの間が縦シール材１２でシールしてある。
【００２１】
次に、建物壁１の開口部２に建具枠３を取付ける作業を工程ごとに説明する。
非木造の建物壁１を、その開口部２の内周面に被溶接部６が露出するように施工する工程。
上枠３０、下枠３１、左右の縦枠３２が枠組みされ、取付片が除去されると共に、アンカーがそれぞれ取付けられた建具枠３とする工程。
つまり、取付片の除去は枠組み前でも、枠組み後でも良いし、アンカーの取付けも枠組み前でも、枠組み後でも良い。
【００２２】
前記建具枠３を開口部２内に挿入して開口部２内に設ける工程。
前記各被溶接部６と各アンカーに溶接筋７を溶接して建具枠３と建物壁１を連結する工程。
前記建具枠３の室外側部と建物壁１の開口部２の内周面との間にシール材を設ける工程。
【００２３】
このようであるから、建物壁１と、その開口部２内に設けた建具枠３を連結手段４で直接連結することと、建具枠３の取付片が除去してあることによって、建具枠３の大きさに比べて建物壁１の開口部２をあまり大きくしなくとも木造用の建具枠３を非木造の建物壁１の開口部２に取付けできる。
また、開口部２の内周面と建具枠３の外周面の室外側部との間にシール材を設けるだけで良いから、シール作業が簡単である。
また、取付片を除去し、アンカーを取付けた建具枠３を開口部２内に挿入してアンカーと被溶接部６に溶接筋７を溶接すれば良いので、建具枠３を建物壁１の開口部２に取付ける作業が簡単である。
【００２４】
前記連結手段４は、アンカーと被溶接部６と溶接筋７より成るので、構成が単純でコスト安であるから、建物用建具を安価にできる。
また、アンカーは建具枠３にねじで固着してあるので、アルミ材より成る建具枠３にアンカーを取付けて前述のように溶接で開口部２に取付けできる。
【００２５】
次に、各部の詳細を説明する。
前記開口部２の上内面２ａは、図２に示すように室内側部分が室外側部分よりも上方に位置するように段差を有し、その室内側部分に被溶接部６が露出するようにしてある。
このようであるから、上枠３０の外面３０ａと上内面２ａの室内側部分との間の上下寸法が、室外側部分と上枠３０の外面３０ａとの間の上下寸法よりも大きいので、室内側から被溶接部６と溶接筋７を溶接する作業がやり易いと共に、上シール材１０によるシール幅を小さくしてシール性を向上できる。
【００２６】
前記被溶接部６は図２、図３に示すように差し筋と呼ばれる鉄筋で、その一部分が内面に露出するように建物壁１に埋設されている。
例えば、面外方向（見込み方向）に向かう一側部６ａと他側部６ｂと面内方向（見付け方向）に向かう中間部６ｃでほぼクランク形状で、その一側部６ａが各内面２ａ，２ｂ，２ｃに形成した内向き凹部２ｄ内に露出するように埋設してある。
このようであるから、溶接筋７を内向き凹部２ｄ内で被溶接部６に溶接でき、その溶接部分が内面から突出しないようにできるので、内面と建具枠３の外面との間の寸法を小さくすることが可能である。
【００２７】
前記上アンカー５は図４、図５に示すように、取付部５ａと溶接部５ｂを有し、その取付部５ａを上枠３０の外面３０ａに接し、ねじ５０で固着して取付けてある。
このねじ５０は上枠３０の内面３０ｂに突出しないようにしてある。
例えば、図２に示すように上枠３０のねじ５０が螺合する部分を二重壁で中空部を有する形状とし、その中空部内にねじ５０が突出するようにしてある。
【００２８】
前記溶接部５ｂの上下方向に向かう面（縦面）に溶接筋７を接して溶接するようにしてある。
この溶接部５ｂの上下寸法が取付部５ａの上下寸法よりも大きく、上アンカー５全体の上下寸法を大きくせずに溶接部５ｂと溶接筋７の上下方向の接触長さを長くできるようにしてある。
例えば、板状の基片５１の両側端縁を上向きに折り曲げて折曲片５２とし、その折曲片５２を溶接部５ｂとすると共に、基片５１に穴５３を形成して取付部５ａとしてある。
図４において上取付片３３の斜線部分（全部）が除去され、上枠３０の外面３０ａは図５に示すように上取付片３３を有しない平坦面となっている。
【００２９】
前記下アンカー８は図６、図７に示すように、面外方向に離隔した室内側取付部８ａと室外側取付部８ｂ、この室内側取付部８ａと室外側取付部８ｂとの面外方向中間の溶接部８ｃを有し、その室内側取付部８ａと室外側取付部８ｂを、下枠３１の面外方向に離隔した室内側被取付部３１ｂ、室外側被取付部３１ｃにねじ８１でそれぞれ固着して取付けてある。
この実施の形態では、下取付片３４の斜線部分の一部分が除去され、この下取付片３４の残存部分３４ａを下アンカー８の室外側取付部８ｂを取付ける室外側被取付部３１ｃとしてある。
また、前記下アンカー８の室外側取付部８ｂは、前記室外側被取付部３１ｃに断熱材より成るスペーサ８２を介して接し、ねじ８１で固着して取付けてある。
【００３０】
前記溶接筋７は、図２に示すように、その長手方向の上部分を溶接部８ｃの上下方向に向かう縦面に接して溶接される。
前記溶接部８ｃは、下枠３１における前記室内側被取付部３１ｂと室外側被取付部３１ｃとの間の部分と離隔しているので、図２に示すように溶接筋７を溶接部８ｃの縦面に、その縦面よりも上方に突出するように接して溶接でき、その溶接の上下方向の長さを長くできる。
【００３１】
前記下アンカー８は、例えば板状の基板８３をほぼクランク形状に折曲し、その上部分に穴８４を形成して室内側取付部８ａとすると共に、下部分にも穴８４を形成して室外側取付部８ｂとしてある。
前記基板８３の中間部の端縁を折り曲げて折曲片８５とし、その折曲片８５を溶接部８ｃとしてある。
【００３２】
前述のように、下アンカー８は面外方向に離隔した２ヶ所で下枠３１に固着され、その２ヶ所の固着部の面外方向中間に溶接筋７が溶接してあるので、この溶接筋７によって下枠３１は建物壁１の開口部２の下内面２ｂ部分にしっかりと支持して取付けできる。
つまり、下枠３１の取付け部分には建具の自重が負荷するので、しっかりと支持して取付けることが望ましい。
【００３３】
前記縦アンカー９は図８、図９に示すように、取付部９ａと溶接部９ｂを有し、その取付部９ａを縦枠３２にねじ９１で固着して取付け、その溶接部９ｂに溶接筋７が図３に示すように溶接される。
この実施の形態では、前記縦取付片３５は斜線部分が除去されて一部分が残存し、その残存部分３５ａに取付部９ａを接してねじ９１で固着してあり、そのねじ９１が縦枠３２の内面３２ｂに突出しないようにしてある。
【００３４】
この実施の形態では図４と図８に示すように、前述の上アンカー５と縦アンカー９は同一としてある。
例えば、上アンカー５の取付部５ａ（基板５１）の端部に縦向き片９２を一体的に設け、その縦向き片９２に穴９３を形成して縦アンカー９の取付部９ａとし、上アンカー５の溶接部５ｂ（折曲片５２）を縦アンカー９の溶接部９ｂとしてある。
【００３５】
前記溶接筋７は、ほぼくの字形状に折曲した断面円形の鉄棒である。
このようであるから、各アンカーとの溶接部と被溶接部６との間隔を小さくできる。つまり、溶接筋７が一直線形状であると、アンカーの溶接部と被溶接部６との間隔が大きくなるが、ほぼくの字形状であれば、前述の間隔を小さくできる。したがって、開口部２の内周面と建具枠３の外周面との間隔を小さくできる。
なお、溶接筋７を多角形断面形状とすれば、アンカーの溶接部、被溶接部６と接触する面積を広くできるから、しっかりと溶接できる。
【００３６】
前述のようにして建物壁１の開口部２に建具枠３を取付けした後に、その開口部２の内周面と建具枠３の外周面との間にモルタル１３を充填して連結手段４が埋没するようにしてある。
【００３７】
次に、本発明の第２の実施の形態を図１０、図１１に基づいて説明する。
この実施の形態は建具枠３が断熱性に優れたものを用いていると共に、開口部２内への取付け位置等が前述の第１の実施の形態と異なり、連結手段４は同一である。
前記建具枠３の上枠３０と下枠３１は、金属製（アルミ押出形材）の室内側部材４０と室外側部材４１を断熱材４２で連結した断熱形材で、その各室内・外側部材４０，４１には樹脂製のカバー材４３，４４がそれぞれ設けてある。
前記縦枠３２は金属製（アルミ押出形材）の本体４５の室内側部に樹脂製の室内側カバー４６を取付けてある。
【００３８】
前記開口部２の上内面２ａ、縦内面２ｂは、面内方向外側寄りの室内側部分と面内方向内側寄りの室外側部分が段差２ｅを介して連続した段付き形状で、その室内側部分に建具枠３が連結手段４で取付けられる。
前記段差２ｅと上枠３０の室外側部、縦枠３２の室外側部との間が上シール材１０、縦シール材１２でシールしてある。
前記下枠３１の室外側部には水切り１４が取付けてある。
【００３９】
前記上連結手段４ａの上アンカー５は、上枠３０の室外側部材４１にねじ５０で固着して取付けてある。
前記下連結手段４ｂの下アンカー８は、その室内側取付部８ａが下枠３１の室内側部材４０にねじ８１で固着して取付けられ、室外側取付部８ｂが下枠３１の室外側部材４１に、断熱材より成るスペーサ８２を介してねじ８１で固着して取付けてある。
このようであるから、上枠３０、下枠３１における室内側部材４０と室外側部材４１とに亘って上アンカー５、下アンカー８を介して熱が伝わることがなく、その上アンカー５、下アンカー８を断熱形材より成る上枠、下枠と金属製（アルミ製）の上枠、下枠とに兼用することができる。
なお、縦枠３２を上枠３０、下枠３１と同様に金属製（アルミ押出形材）の室内側部材と室外側部材を断熱材４２にて連結した断熱形材としても良い。
この場合は、縦アンカー９を室外側部材にねじで固着して取付ける。
【図面の簡単な説明】
【００４０】
【図１】本発明の実施の形態を示す建物用建具の概略正面図である。
【図２】図１の拡大詳細縦断面図である。
【図３】図１の拡大詳細横断面図である。
【図４】上枠と上アンカーの分解斜視図である。
【図５】上枠の上アンカー取付部分の斜視図である。
【図６】下枠と下アンカーの分解斜視図である。
【図７】下枠の下アンカー取付部分の斜視図である。
【図８】縦枠と縦アンカーの分解斜視図である。
【図９】縦枠の縦アンカー取付部分の斜視図である。
【図１０】本発明の第２の実施の形態を示す建物用建具の縦断面図である。
【図１１】本発明の第２の実施の形態を示す建物用建具の横断面図である。
【符号の説明】
【００４１】
１…建物壁、２…開口部、２ａ…上内面、２ｂ…下内面、２ｃ…縦内面、３…建具枠、４…連結手段、４ａ…上連結手段、４ｂ…下連結手段、４ｃ…縦連結手段、５…上アンカー、６…被溶接部、７…溶接筋、８…下アンカー、９…縦アンカー、１０…上シール材、１１…下シール材、１２…縦シール材、３０…上枠、３０ａ…外面、３１…下枠、３１ａ…外面、３２…縦枠、３２ａ…外面、３３…上取付片、３４…下取付片、３５…縦取付片。
【図１】
0004974179.tif 000002
【図２】
0004974179.tif 000003
【図３】
0004974179.tif 000004
【図４】
0004974179.tif 000005
【図５】
0004974179.tif 000006
【図６】
0004974179.tif 000007
【図７】
0004974179.tif 000008
【図８】
0004974179.tif 000009
【図９】
0004974179.tif 000010
【図１０】
0004974179.tif 000011
【図１１】
0004974179.tif 000012